【手続補正書】
【提出日】平成21年1月19日(2009.1.19)
【手続補正１】
【補正対象書類名】特許請求の範囲
【補正対象項目名】全文
【補正方法】変更
【補正の内容】
【特許請求の範囲】
【請求項１】
生物体に熱機械的損傷をもたらすための組成物であって：
それぞれ少なくとも一つのターゲッティング部分と複合体化された複数のナノ微粒子を含有し、該ナノ微粒子が生物体に特異的にターゲッティングされて生物体上または生物体内で一つ以上のナノ微粒子クラスターを形成し、前記ナノ微粒子のピーク吸収波長に近いかまたは一致するピーク波長を有するように選択された波長のスペクトルを持つ電磁放射の少なくとも一つのパルスが前記生物体に照射され、ナノ微粒子への電磁放射の吸収によって発生した熱により生成したマイクロバブルによって、ターゲッティングされた生物体に熱機械的損傷がもたらされることを特徴とする組成物。
【請求項２】
前記ナノ微粒子が、約１ｎｍから約１０００ｎｍの寸法を有することを特徴とする請求項１記載の組成物。
【請求項３】
前記ナノ微粒子クラスターが、ナノ微粒子の容積より約２から約２００倍大きい全容積を有することを特徴とする請求項１記載の組成物。
【請求項４】
前記ナノ微粒子が、少なくとも部分的に金属性のナノ粒子、ナノロッドまたはナノシェルから形成されるか、またはカーボンナノチューブであることを特徴とする請求項１記載の組成物。
【請求項５】
ナノ微粒子が、前記電磁放射のプラズモン共鳴吸収を有する部分的に金属性のナノ粒子から形成されることを特徴とする請求項４記載の組成物。
【請求項６】
前記少なくとも部分的に金属性のナノ粒子が、細長いことを特徴とする請求項４記載の組成物。
【請求項７】
金属が金または銀であることを特徴とする請求項４記載の組成物。
【請求項８】
各ナノ微粒子が、ナノ粒子の凝集体を構成することを特徴とする請求項１記載の組成物。
【請求項９】
前記凝集体が球状ナノ粒子を構成することを特徴とする請求項８記載の組成物。
【請求項１０】
前記ターゲッティング部分が、生物体上の受容体部位へ特異的にターゲッティングされたモノクローナル抗体またはペプチドであることを特徴とする請求項１記載の組成物。
【請求項１１】
前記受容体部位が、それに結合した、前記モノクローナル抗体に対して特異的な別のモノクローナル抗体またはペプチドをさらに含むことを特徴とする請求項１０記載の組成物。
【請求項１２】
前記ナノ微粒子が、ナノ微粒子に複合体化された界面活性剤または核酸の相補鎖、あるいはその組合せをさらに含むことを特徴とする請求項１記載の組成物。
【請求項１３】
波長スペクトルが約３００ｎｍから約３００ｍｍの波長範囲であることを特徴とする請求項１記載の組成物。
【請求項１４】
電磁放射のパルスが光放射であることを特徴とする請求項１記載の組成物。
【請求項１５】
光放射のパルスが５００ｎｍから１１５０ｎｍの範囲の波長を有することを特徴とする請求項１４記載の組成物。
【請求項１６】
電磁放射のパルスの持続時間が約１ｎｓから約１００ｎｓであることを特徴とする請求項１記載の組成物。
【請求項１７】
前記生物体が、異常細胞、細菌またはウイルスであることを特徴とする請求項１記載の組成物。
【請求項１８】
癌細胞を含む媒質の入った細胞チャンバー；
前記細胞チャンバーに流路接続され、癌細胞を特異的にターゲッティングするように適合させたナノ微粒子源；
前記細胞チャンバーに流路接続され、前記ターゲッティングされた癌細胞が入るように適合させた光学チャンバー；
前記ナノ微粒子のピーク吸収波長に近いかまたは一致するピーク波長を有するように選択された波長のスペクトルを放射するように設定された、前記光学チャンバー内のターゲッティングされた癌細胞に向けられる電磁放射のパルス源；および
前記細胞チャンバーに流路接続され、前記ピーク波長で放射される電磁放射の吸収の結果として生じた熱機械的作用によって損傷した細胞を選別する手段；
を含む、癌細胞に対する選択的でかつ治療的な熱機械的損傷を増大させるための系。
【請求項１９】
光熱シグナルを受信するための手段または熱機械的作用の光学像を作成するための手段をさらに含むことを特徴とする請求項１８記載の系。
【請求項２０】
前記ナノ微粒子が、それぞれ癌細胞上の受容体部位に特異的にターゲッティングされた少なくとも一つのターゲッティング部分を含むことを特徴とする請求項１８記載の系。
【請求項２１】
前記受容体部位が、それに結合された、ナノ微粒子上の前記ターゲッティング部分に特異的な別のターゲッティング部分をさらに含むことを特徴とする請求項２０記載の系。
【請求項２２】
前記ターゲッティング部分が、モノクローナル抗体またはペプチドであることを特徴とする請求項２０記載の系。
【請求項２３】
全記ナノ微粒子が、ナノ微粒子に複合体化された界面活性剤または核酸の相補鎖、あるいはその組合せをさらに含むことを特徴とする請求項２０記載の系。
【請求項２４】
前記ナノ微粒子が、約１ｎｍから約１０００ｎｍの寸法を有することを特徴とする請求項１８記載の系。
【請求項２５】
前記ナノ微粒子が、一つ以上のナノ微粒子クラスターを形成するように適合されることを特徴とする請求項１８記載の系。
【請求項２６】
前記ナノ微粒子が、ナノ微粒子の容積より約２から約２００倍大きい全容積を有することを特徴とする請求項２５記載の系。
【請求項２７】
前記ナノ微粒子が、少なくとも部分的に金属性のナノ粒子、ナノロッドまたはナノシェルから形成されるか、またはカーボンナノチューブであることを特徴とする請求項１８記載の系。
【請求項２８】
前記ナノ微粒子が、電磁放射のプラズモン共鳴吸収を有する部分的に金属性のナノ粒子から形成されることを特徴とする請求項２７記載の系。
【請求項２９】
前記少なくとも部分的に金属性のナノ粒子が、細長いことを特徴とする請求項２７記載の系。
【請求項３０】
金属が金または銀であることを特徴とする請求項２７記載の系。
【請求項３１】
各ナノ微粒子が、ナノ粒子の凝集体を構成することを特徴とする請求項１８記載の系。
【請求項３２】
前記凝集体が球状ナノ粒子を構成することを特徴とする請求項３１記載の系。
【請求項３３】
波長スペクトルが約３００ｎｍから約３００ｍｍの波長範囲であることを特徴とする請求項１８記載の系。
【請求項３４】
電磁放射のパルスが５００ｎｍから１１５０ｎｍの範囲の波長を有する光放射であることを特徴とする請求項１８記載の系。
【請求項３５】
電磁放射のパルスが持続時間約１ｎｓから約１００ｎｓであることを特徴とする請求項１８記載の系。
【請求項３６】
癌細胞が白血病癌細胞であることを特徴とする請求項１８記載の系。
【請求項３７】
請求項１８記載の系の制御方法であって、
前記細胞チャンバーに配置された、個体から採取された癌細胞を含む試料に、ナノ微粒子源からナノ微粒子を加えて前記試料中の癌細胞をターゲッティングし；
前記ターゲッティングされた癌細胞に電磁放射が照射されてナノ微粒子に吸収された電磁放射がターゲッティングされた癌細胞を損傷させる熱機械的作用を引き起こすように、前記パルス源から、前記ナノ微粒子のピーク吸収波長に近いかまたは一致するピーク波長を有する少なくとも一つのパルスの電磁放射を放射させて；
前記選別手段に損傷した細胞を試料から選別させる、各工程を行う制御方法。
【請求項３８】
光熱シグナルを受信しまたは熱機械的作用の光学像を作成させて、癌細胞に対する選択的熱機械的損傷を監視および導く工程をさらに行う請求項３７記載の制御方法。
【請求項３９】
熱機械的作用が、癌細胞においてマイクロバブルを生成するのに十分な、吸収された電磁放射によってナノ微粒子内で発生した熱によって引き起こされることを特徴とする請求項３７記載の制御方法。